(57)【要約】      （修正有）【課題】系統連系装置が簡易な方法で系統連系用リレーの異常状態を検知できるようにする。【解決手段】直流電力を交流電力に変換するインバータ回路と、系統連系用リレーとを備え、系統連系用リレーを介して商用電力系統に連系する系統連系装置において、インバータ回路からの交流電力を平滑するフィルタ回路と、インバータ回路の運転状態を制御するインバータ回路制御手段と、系統連系用リレーを連系状態又は解列状態に制御するリレー制御手段と、フィルタ回路と系統連系用リレーの間に接続され、前記フィルタ回路に流れる電流を検出する電流検出手段と、インバータ回路制御手段によりインバータ回路が停止状態に制御されているときに、系統連系用リレーの制御状態及び電流検出手段の検出結果に基づいて系統連系装置の異常を検出する異常検出手段とを有する。【選択図】図１
2008035655.tif 000002
【特許請求の範囲】
【請求項１】
直流電源から発生する直流電力を交流電力に変換するインバータ回路と、系統連系用リレーとを備え、前記系統連系用リレーを介して商用電力系統に連系する系統連系装置において、
前記インバータ回路からの交流電力を平滑するフィルタ回路と、前記インバータ回路の運転状態を制御するインバータ回路制御手段と、前記系統連系用リレーを連系状態又は解列状態に制御するリレー制御手段と、前記フィルタ回路と前記系統連系用リレーの間に接続され、前記フィルタ回路に流れる電流を検出する電流検出手段と、前記インバータ回路制御手段により前記インバータ回路が停止状態に制御されているときに、前記系統連系用リレーの制御状態及び前記電流検出手段の検出結果に基づいて前記系統連系装置の異常を検出する異常検出手段とを有することを特徴とする系統連系装置
【請求項２】
前記商用電力系統の電圧を検出する電圧検出手段を有し、前記フィルタ回路はリアクトルとコンデンサで構成され、前記異常検出手段は前記電流検出手段及び前記電圧検出手段の検出結果並びに前記系統連系用リレーの制御状態に基づいて前記系統連系装置の異常を検出することを特徴とする請求項１に記載の系統連系装置
【請求項３】
異常検出手段は、前記リレー制御手段が前記系統連系用リレーを解列するよう制御しているに拘わらず、前記電流検出手段が電流を検出した場合、前記系統連系装置が異常状態であると判断することを特徴とする請求項１〜２に記載の系統連系装置
【請求項４】
異常検出手段は、前記リレー制御手段が前記系統連系用リレーを連系するよう制御しているに拘わらず、前記電流検出手段により電流が検出されない場合、前記系統連系装置が異常状態であると判断することを特徴とする請求項１〜３に記載の系統連系装置
【請求項５】
データ送信装置を備え、前記異常検出手段が前記異常を検出した場合、前記データ送信装置は異常状態であること示すデータを所定の出力先に送信することを特徴とする請求項１〜４何れかに記載の系統連系装置
【請求項６】
直流電源と、前記直流電源から発生する直流電力を交流電力に変換するインバータ回路と、系統連系用リレーとを備え、前記系統連系用リレーを介して商用電力系統に連系する系統連系システムにおいて、
前記インバータ回路からの交流電力を平滑するフィルタ回路と、前記インバータ回路の運転状態を制御するインバータ回路制御手段と、前記系統連系用リレーを連系状態又は解列状態に制御するリレー制御手段と、前記フィルタ回路と前記系統連系用リレーの間に接続され、前記フィルタ回路に流れる電流を検出する電流検出手段と、前記インバータ回路制御手段により前記インバータ回路が停止状態に制御されているときに、前記系統連系用リレーの制御状態及び前記電流検出手段の検出結果に基づいて前記系統連系装置の異常を検出する異常検出手段とを有することを特徴とする系統連系装置
【発明の詳細な説明】
【技術分野】
【０００１】
この発明は、例えば太陽電池や燃料電池などから発生する直流電力を交流電力に変換し、商用電力系統に連系する系統連系装置に関する技術分野に属する。
【背景技術】
【０００２】
従来より、太陽電池や燃料電池などの直流電源の直流電力を交流電力に変換し、商用電力系統と連系して負荷に電力を供給する系統連系装置が提供されている。
【０００３】
図７はこのような系統連系装置を含む系統連系システムの一例である太陽電池発電システムを示す構成図で、この発電システムは、日射量に応じて発電力が変化する太陽電池１、この太陽電池１からの直流電力を交流電力に変換する系統連系装置２により構成され商用系統３０に連系される。系統連系システムは商用電力系統３０との間に接続された負荷（不図示）に対して、系統連系装置２及び商用電力系統３０の連系運転と系統連系装置２のみの単独運転とのいずれか一方に切り替えて交流電力を供給するものである。
【０００４】
系統連系装置２は、太陽電池１の直流電圧を昇圧する昇圧回路４、昇圧回路４の出力を交流電圧に変換するインバータ回路５、及びインバータ回路５の出力を平滑して出力波形を正弦波状の波形とするフィルタ回路６と、フィルタ回路６と商用系統３０との間に接続された系統連系用リレー７と、フィルタ回路６と系統連系用リレー７との間に接続されその間に流れる電流を検出する電流検出部９と、系統連系用リレー７のインバータ回路側に設置されたインバータ電圧検出部１０と、系統連系用リレー７の商用電力系統側に設置された商用系統電圧検出部１１と、マイクロコンピュータからなり昇圧回路４やインバータ回路５の各スイッチ素子にＯＮ／ＯＦＦ信号を与える制御回路８とで構成される。昇圧回路４では、０Ｖ〜３００Ｖ程度の範囲内で変動する太陽電池１の出力電圧を３５０Ｖ程度まで昇圧しており、この昇圧された直流電圧を入力としてインバータ回路５でＰＷＭ（Puls Width Modulation）制御を行って交流電圧に変換した後、フィルタ回路６でインバータ回路５の出力に含まれるＰＷＭキャリア周波数（例えば１６．５ｋＨｚ）のリップル成分を平滑することにより正弦波状の２００Ｖ程度（例えば２０２±２０Ｖ）の交流電圧に変換して出力するものである。
【０００５】
昇圧回路４は、リアクトル４１と、ＩＧＢＴ（Insulated Gate Bipolar Transistor）のようなスイッチ素子４２と、ダイオード４３と、コンデンサ４４とで構成される。具体的には、リアクトル４１の一端に太陽電池１の正極側を接続し、他端にはスイッチ素子４２のコレクタ側とダイオード４３のアノード側を接続する。また、スイッチ素子４２のエミッタ側には太陽電池１の負極側を接続し、ダイオード４３のカソード側はコンデンサ４４を介してスイッチ素子４２のエミッタ側に接続する。昇圧回路４の出力電圧は電圧検出器（不図示）によって検出され、その検出信号が制御回路８に入力されており、制御回路８で演算処理を行って決定したデューティ比のパルス信号がスイッチ素子４２のゲートに与えられ、昇圧回路４の出力電圧が所定の電圧に制御される。
【０００６】
インバータ回路５は、ＩＧＢＴのようなスイッチ素子５１〜５４をフルブリッジ接続して構成され、制御回路８のＰＷＭ制御にしたがって各スイッチ素子５１〜５４をスイッチングして、昇圧回路４からの直流電力を交流電力に変換するものである。
【０００７】
フィルタ回路６は、リアクトル６１，６２とコンデンサ６３によって構成される。具体的には、直列接続されたスイッチ素子５１，５２の接続点にリアクトル６１の一端を接続し、直列接続されたスイッチ素子５３，５４の接続点にリアクトル６２の一端を接続する。そして、これらリアクトル６１，６２の他端間にコンデンサ６３を接続する。このように構成することでＰＷＭキャリア周波数のリップル成分を平滑して、インバータ回路５の出力電圧を正弦波状の波形に平滑し、商用系統３０に出力するものである。
【０００８】
系統連系用リレー７は、それぞれ制御回路８からの制御信号によって連系／解列が制御され、フィルタ回路６と商用電力系統３０との間に接続されて、系統連系装置２と商用系統３０との間を連系または解列するものである。
【０００９】
電流検出部９では、インバータ回路５が動作中に、フィルタを介して平滑された出力電流を検出する。検出された出力電流は制御回路８に送られ、出力電流が商用系統電圧と同位相となるように制御するために用いられる。また、電流検出部９はインバータ回路５のスイッチング素子５１〜５４の故障などによって過電流（例えば４５Ａ以上の電流）が流れることを検出するためにも用いられる。過電流が検出された場合、制御回路８は系統連系装置２が異常状態であると判断して、インバータ回路５の停止（ゲートブロック）、系統連系用リレー７の解列、昇圧回路４の停止などを行い系統連系装置２の運転を停止する。
【００１０】
商用系統電圧検出部１１では、商用電力系統３０の電圧を検出する。検出された電圧は制御回路８に送られ、制御回路８は商用電力系統３０の電圧が運用規定の適正範囲内（単相３線の場合、電圧：１８２〜２２２Ｖ、周波数：基本周波数±１％）かどうかを判断する。基本周波数は商用電力系統３０の周波数で６０Ｈｚや５０Ｈｚである。検出した出力電圧が適正範囲外であった場合は、制御回路８はインバータ回路５の停止（ゲートブロック）、系統連系用リレー７の解列、昇圧回路４の停止などを行い系統連系装置２の運転を停止する。
【００１１】
【特許文献１】特開２００４−１８７３６２
【００１２】
上述した系統連系装置２は、制御回路８が系統連系用リレー７の連系／解列指令を送出し、系統連系用リレー７の連系／解列動作を制御している。特に停電などによって商用電力系統３０側の電圧に異常が発生した場合や、系統連系装置２自身に故障などの異常が発生した場合や、ユーザーの操作によって運転動作が停止された場合などに系統連系用リレー７に解列指令を送出して、系統連系装置２を商用系統３０から解列し、安全性を確保することは重要である。
【００１３】
しかしながら、系統連系用リレー７に用いるリレーで異常電流や接点寿命により接点の溶着現象が発生すると、制御回路８からの制御信号を受けても系統連系装置２を解列できないような状況が発生する可能性がある。このような系統連系用リレー７の異常による安全性の低下を回避するために、従来の系統連系装置２では、系統連系用リレー７のインバータ側に設けられたインバータ電圧検出部１０と、系統連系用リレー７の商用電力系統側に設けられた商用系統電圧検出部１１を用いて、系統連系用リレー７の連系／解列指令に伴う電圧の変化を観測することで系統連系用リレー７の溶着の判別を行っていた。
【００１４】
また、図８は、接点検出部７１を系統連系用リレー７に用いることで系統連系用リレーの溶着を判別する場合の構成図である。このような構成でもリレーの溶着を判別できる。この構成では、インバータ電圧検出部１０の代わりに、系統連系用リレー７の内部に、リレーの連系／解列動作と連動し、商用電力系統３０と系統連系装置２の接点が開放状態にあるか否かを判別する接点検出部７１が設けられている。このような構成をとることによって、系統連系用リレー７の連系／解列指令に伴って接続状態を検出することによりリレーの溶着状態の判別を行っていた。（特許文献２）
【００１５】
【特許文献２】特許第３４０７９７４号
【発明の開示】
【発明が解決しようとする課題】
【００１６】
しかしながら、上述したいずれの場合においても系統連系用リレー７の溶着を判断するためにインバータ電圧検出部１０や接点検出部７１といった専用の検出装置、検出機構を必要としていたので、コストやサイズの増加等を招いていた。
【課題を解決するための手段】
【００１７】
本発明は上述された内容に鑑みて考案された発明であり、直流電源から発生する直流電力を交流電力に変換するインバータ回路と、系統連系用リレーとを備え、前記系統連系用リレーを介して商用電力系統に連系する系統連系装置において、前記インバータ回路からの交流電力を平滑するフィルタ回路と、前記インバータ回路の運転状態を制御するインバータ回路制御手段と、前記系統連系用リレーを連系状態又は解列状態に制御するリレー制御手段と、前記フィルタ回路と前記系統連系用リレーの間に接続され、前記フィルタ回路に流れる電流を検出する電流検出手段と、前記インバータ回路制御手段により前記インバータ回路が停止状態に制御されているときに、前記系統連系用リレーの制御状態及び前記電流検出手段の検出結果に基づいて前記系統連系装置の異常を検出する異常検出手段とを有することを特徴とする。
【００１８】
またさらに、前記商用電力系統の電圧を検出する電圧検出手段を有し、前記フィルタ回路はリアクトルとコンデンサで構成され、前記異常検出手段は前記電流検出手段及び前記電圧検出手段の検出結果並びに前記系統連系用リレーの制御状態に基づいて前記系統連系装置の異常を検出することを特徴とする
【００１９】
またさらに、異常検出手段は、前記リレー制御手段が前記系統連系用リレーを解列するよう制御しているに拘わらず、前記電流検出手段が電流を検出した場合、前記系統連系装置が異常状態であると判断することを特徴とする
【００２０】
またさらに、異常検出手段は、前記リレー制御手段が前記系統連系用リレーを連系するよう制御しているに拘わらず、前記電流検出手段により電流が検出されない場合、前記系統連系装置が異常状態であると判断することを特徴とする。
【００２１】
またさらに、データ送信装置を備え、前記異常検出手段が前記異常を検出した場合、前記データ送信装置は異常状態であること示すデータを所定の出力先に送信することを特徴とする。
【００２２】
またさらに、直流電源と、前記直流電源から発生する直流電力を交流電力に変換するインバータ回路と、系統連系用リレーとを備え、前記系統連系用リレーを介して商用電力系統に連系する系統連系システムにおいて、前記インバータ回路からの交流電力を平滑するフィルタ回路と、前記インバータ回路の運転状態を制御するインバータ回路制御手段と、前記系統連系用リレーを連系状態又は解列状態に制御するリレー制御手段と、前記フィルタ回路と前記系統連系用リレーの間に接続され、前記フィルタ回路に流れる電流を検出する電流検出手段と、前記インバータ回路制御手段により前記インバータ回路が停止状態に制御されているときに、前記系統連系用リレーの制御状態及び前記電流検出手段の検出結果に基づいて前記系統連系装置の異常を検出する異常検出手段とを有することを特徴とする。
【発明の効果】
【００２３】
以上のような構成を備えることで、系統連系装置が簡易な構成で系統連系用リレー７の異常状態を検知できる。
【００２４】
本発明の意義ないし効果は、以下に示す実施の形態の説明により更に明らかとなろう。ただし、以下の実施の形態は、あくまでも、本発明の一つの実施形態であって、本発明ないし各構成要件の用語の意義は、以下の実施の形態に記載されたものに制限されるものではない。
【実施例１】
【００２５】
以下に図面に基づいて、この発明を実施するための第１の実施例を説明する。
【００２６】
図１は本発明における系統連系装置の一例である太陽電池発電システムを示す構成図である。従来例との違いはインバータ電圧検出部１０又は接点検出部７１のようなリレーの異常状態を検出するための装置が必要なく、制御回路８においてインバータ回路５が停止している場合（インバータ回路５がゲートブロックされている状態）にフィルタ回路に流れる電流（無効電流）の有無を電流検出部９の検出結果と商用系統電圧検出部１０を用いて判断する部分で異なる。また、制御回路８にはＥＰロムのように電源を切っても記録内容が消えないメモリ（不図示）があり、系統連系用リレー７が異常状態と判断された場合に記録できるようになっている。
【００２７】
図２（ａ）は系統連系装置２が連系運転をしている場合にフィルタ回路に流れる電流を示す図である。この図では横軸に時間をとり、縦軸に商用電力系統３０の電圧（実線）とフィルタ回路６のコンデンサ６３に流れる電流（点線）を示している。この図に示すように連系運転を行っている場合は、コンデンサ６３に流れる電流２２ａが商用電力系統の電圧２１と同位相となるように制御回路８がインバータ回路５を制御している。一方、図２（ｂ）はインバータ回路５が停止し系統連系用リレー７が接続されている場合に、フィルタ回路に流れる電流（無効電流）を示す図である。軸のとり方は図２（ａ）と同様である。この場合においても回路が閉じているため商用電力系統３０からの電圧がフィルタ回路６のコンデンサ６３に作用するので電流が流れる（無効電流）。無効電流２２ｂは、インバータ回路５が停止しフィルタ回路６のコンデンサ６３の影響を受けるため、商用電力系統の電圧２１から９０°進んだ位相となる。また、流れる無効電流は例えばコンデンサの容量が１５μＦ、商用電力系統が２００Ｖ、である場合は１．１３Ａ程度となる。無効電流はこのような特性を持つため電圧と電流に位相差が生じたときに無効電流有りと判断できる（無効電流の検出）。具体的には商用電力系統の電圧２１を商用系統電圧検出部１１で検出し、フィルタ回路に流れる電流を電流検出部９で検出することによって、電流と電圧それぞれの位相を計算し位相差が略９０°あった場合に無効電流有りと判断する（即ち無効電流が検出された状態である）。また、インバータ回路５が停止し系統連系用リレー７が解列状態である場合は商用電力系統の電圧がフィルタ回路６のコンデンサ６３にかからないため電流が流れない。このように電流が流れていない場合は無効電流なしと判断する（即ち無効電流が検出されない状態である）。この様に位相差を用いることで電流にノイズが入った場合でも電流値ではなく位相差で無効電流の有無を判断するためにノイズ（例：系統連系用リレー７のスイッチングに伴うノイズ等）に強い、精度の良い検出が可能となる。
【００２８】
尚、基本的な構成は従来の系統連系装置２と同様であるので、共通する構成要素には同一の符号を付してその説明は省略する。
【００２９】
このような構成をとることによって、制御回路８は系統連系用リレー７が異常状態であることを判断できる。具体的にはインバータ回路５がゲートブロックされている状態において、無効電流が流れておりかつ系統連系用リレー７に解列信号が送出されている場合、解列制御指示しているにかかわらず電流が流れている状態であるので、系統連系用リレー２が連系状態から解列状態へと動作しない異常状態（溶着状態）であると判別できる。また、インバータ回路５がゲートブロックされている状態において、無効電流が検出されずかつ系統連系用リレー７に連系信号が送出されている場合、連系制御指示しているにかかわらず電流が流れない状態であるので、系統連系用リレー２が解列状態から連系状態に動作しない異常状態であると判別できる。
【００３０】
異常状態を検出するタイミングには例えば以下のような２つのタイミングがある。一つは系統連系用リレー７に連系制御指示を行い、系統連系装置２を商用電力系統３０に連系しようとするときである。もう一つは系統連系用リレー７に解列制御指示を行い、系統連系装置２が商用電力系統３０から解列しようとするときである。具体的な検出までのフローについて以下に説明する
【００３１】
（連系を行う場合）
図３は系統連系装置２を停止状態から動作させて、商用電力系統と連系を行う場合のフローチャートである。
【００３２】
停止状態では昇圧回路４、インバータ回路５はゲートブロックされ停止しており、系統連系用リレー７に対して解列指令が出ている。
【００３３】
系統連系装置２を商用電力系統３０に連系させる場合、ステップＳ１００で系統連系条件を満たしているかどうかを確認する。具体的には制御回路８が商用系統電圧検出部１１から得られる電圧が運用規定に定められている適性範囲（単層３線の場合、電圧：１８２〜２２２Ｖ、周波数：基本周波数±１％）に収まっているかどうかを判断して決定する。系統連系条件を満たしていないと判断された場合は再びステップ１００を繰り返し、系統連系条件を満たしていると判断された場合はステップＳ１０１へ移行する。
【００３４】
ステップＳ１０１で制御回路８はメモリ（不図示）に記録されている内容を参照し、系統連系用リレー７が正常であるか異常であるか判断を行う。系統連系用リレー７が異常状態であると記録されている場合はテストモードへ移行する。異常状態であると記録されていない場合はステップＳ１０２へ移行する。
【００３５】
ステップＳ１０２では、電流検出部９によってフィルタ回路６に流れる電流を検出し、商用系統電圧検出部１１によって商用系統の電圧を検出し、検出された電流と電圧を基に無効電流の有無を判断する。無効電流が有りと判断された場合に系統連系用リレー７が異常状態であると判断し、ステップＳ１０８で制御回路８内のメモリに異常状態であることを記録し（フラグを立てる）停止する。無効電流が無しと判断された場合、系統連系用リレー７は正常であると判断されステップＳ１０３へと移行する。
【００３６】
ステップＳ１０３では、昇圧回路５が太陽電池１から出力される直流電圧の昇圧を開始し、ステップＳ１０４へ移行する。
【００３７】
ステップＳ１０４では、昇圧後の電圧が３５０Ｖ以上であるかどうかを判断し３５０Ｖ未満である場合はＳ１０４を繰り返す。昇圧後の電圧が３５０Ｖ以上である場合はステップＳ１０５へと移行する。
【００３８】
ステップＳ１０５では、制御回路８が系統連系用リレー７に対して連系指令を送出しステップＳ１０６へ移行する。
【００３９】
ステップＳ１０６では、電流検出部９によってフィルタ回路６に流れる電流を検出し、商用系統電圧検出部１１によって商用系統の電圧を検出し、検出された電流と電圧を基に無効電流の有無を判断する。無効電流が無しと判断された場合に系統連系用リレー７が異常状態であると判断し、ステップＳ１０８で系統連系用リレー７に解列指令を送出し、ステップＳ１０９で制御回路８内のメモリに異常状態であることを記録し（フラグを立てる）停止する。無効電流が有りと判断された場合、系統連系用リレー７は正常であると判断されステップＳ１０３へと移行する。
【００４０】
ステップＳ１０７では、制御回路８によってインバータ回路５のゲートブロックが解除され、インバータ回路５は動作を開始し系統連系運転が開始される。
【００４１】
ここでテストモードについて図面を用いて説明する。図５はテストモードにおける系統連系装置２の動作を示すフローチャートである。系統連系装置２は異常状態と判断されているため、系統連系用リレー７は解列するよう制御され、インバータ回路５や昇圧回路４がゲートブロックされている。ステップＳ３０１では、この状態で無効電流の有無を電流検出器９と商用系統電圧検出部１１を用いて検出し、無効電流が検出された場合はステップＳ３０１を繰り返し、無効電流が検出されなかった場合はステップＳ３０２に移行する。ステップＳ３０２では系統連系用リレー７に連系指令を送出しステップＳ３０３へ移行する。ステップＳ３０３では再び無効電流の有無を電流検出器９と商用系統電圧検出部１１を用いて検出し、無効電流が検出されなかった場合はステップＳ３０４で系統連系用リレー７に解列指令を送出しステップＳ３０１に戻る。無効電流が検出された場合は、正常状態に復帰したとみなしステップＳ３０５へ移行する。ステップＳ３０５では制御回路８内メモリの異常状態フラグを解除し、系統連系用リレー７に解列指令を送出し、ステップＳ１００へ移行する。テストモードを用いることで系統連系用リレー７が異常状態から復旧した場合に自動的に復旧することができる。
【００４２】
このようにすることで、系統連系装置２を起動するときに専用の回路を用いることなく系統連系用リレー７が異常状態にあるかどうかを判定できる。また、異常状態が発見されると系統連系装置２はメモリに記録するとともに停止し、次回起動以降系統連系運転できないような制御（テストモードで運転される）となっているため安全性に効果がある。
【００４３】
（解列を行う場合）
図４は系統連系装置２が系統連系運転を行っている状態から停止させる場合の動作を示すフローチャートである。
【００４４】
系統連系運転状態では昇圧回路４、インバータ回路５は動作しており、系統連系用リレー７に対して連系指令が出ている。
【００４５】
系統連系装置２を商用電力系統３０から解列させる場合、ステップＳ２０１で、制御回路８は運転停止命令があったかどうかの判断を行う。運転停止命令は例えば日射量が不足して太陽電池の発電電圧が所定の値（９０Ｖ）を下回った場合や外部から運転停止の指令を受けた場合に出される。運転停止命令が出されるまではステップＳ２０１を繰り返し、運転停止命令が出されるとステップＳ２０２へ移行する。
【００４６】
ステップＳ２０２では、インバータ回路５がゲートブロックされ停止し、ステップＳ２０３へ移行する。
【００４７】
ステップＳ２０３では、電流検出部９によってフィルタ回路６に流れる電流を検出し、商用系統電圧検出部１１によって商用系統の電圧を検出し、検出された電流と電圧を基に無効電流の有無を判断する。無効電流が無しと判断された場合に系統連系用リレー７が異常状態であると判断し、ステップＳ２０７で系統連系用リレー７に解列指令を送出し、ステップＳ２０８で制御回路８内のメモリに異常状態であることを記録し（フラグを立てる）停止する。無効電流が有りと判断された場合、系統連系用リレー７は正常であると判断されステップＳ２０４へと移行する。
【００４８】
ステップＳ２０４では、制御回路８が系統連系用リレー７に対して解列指令を送出しステップＳ２０５へ移行する。
【００４９】
ステップＳ２０５では、電流検出部９によってフィルタ回路６に流れる電流を検出し、商用系統電圧検出部１１によって商用系統の電圧を検出し、検出された電流と電圧を基に無効電流の有無を判断する。無効電流が有りと判断された場合に系統連系用リレー７が異常状態であると判断し、ステップＳ２０８で制御回路８内のメモリに異常状態であることを記録し（フラグを立てる）停止する。無効電流が無しと判断された場合、系統連系用リレー７は正常であると判断されステップＳ２０６へと移行する。
【００５０】
ステップＳ２０６では、昇圧回路４を停止し、系統連系装置２が停止する。
【００５１】
このようにすることで、系統連系装置２を停止するときに専用の回路を用いることなく系統連系用リレー７が異常状態にあるかどうかを判定できる。また、異常状態が発見されると系統連系装置２はメモリに記録するとともに停止し、次回起動以降系統連系運転できないような制御（テストモードで運転される）となっているため安全性に効果がある。
【００５２】
本実施例では、無効電流の検出について位相差を用いる方法を述べたが、インバータ停止時にフィルタ回路に流れる電流値から検出する方法を用いることも可能である。例えばインバータ回路５が停止時に電流検出部９を用いて所定回数サンプリングを行い、得られた電流値の絶対値の平均が所定の一定値を超えた場合に無効電流有りと判断を行う方法が考えられる。この場合は電流検出部９から得られた電流値に応じて無効電流の有無の判断が行われるので、無効電流の有無の判断を行う場合にフィルタ回路６に流れる電流と商用電力系統３０の電圧の位相差を検出する必要はない。
【００５３】
本実施例では、テストモードを用いて復旧を行ったが、リセットスイッチのようなものを用いて復旧を行っても良い。その場合、ステップＳ１０１においてメモリに系統連系用リレー７が異常状態であると記録されているときにステップＳ１００に戻るようにする。
【００５４】
図６は系統連系装置２が表示装置１２を備えた場合の例である。系統連系装置２が表示装置を備えることにてって、系統連系用リレー７に異常があると判断された場合に、異常状態であることを表示できる。表示は異常状態を示す文字や図形を用いて行ったり、表示画面を点滅させたり、通常と異なる色を用いたりと種々の変形が考えられる。表示装置１２を用いることで系統連系装置２に異常が生じた状態をユーザーが察知しやすくなる。
【００５５】
また、系統連系装置２がデータ送信装置（不図示）を備えることによって、系統連系用リレー７に異常があると判断された場合に、例えばインターネットや有線または無線のリモコンなどの所定の出力先へ異常状態である旨のデータを送出するようにしても良い。このようにすることでユーザーが離れたところにいても系統連系装置２が異常状態であることを知ることができる。
【００５６】
また、本実施例は従来の系統連系用リレーの溶着状態を検出する専用の検出装置や検出機構を併用して用いることができる。専用の検出装置等を用いることで、電流検出部９の異常等の異常もチェックできるようになる。
【００５７】
以上、本発明の実施形態について詳説したが、本発明は上記実施の形態に限らず、特許請求の範囲に記載の技術的範囲内で種々の変形が可能である。
【図面の簡単な説明】
【００５８】
【図１】系統連系システムの一例である太陽電池発電システムを示す構成図
【図２】フィルタ回路に流れる電流
【図３】系統連系装置２を停止状態から動作させて、商用電力系統と連系を行う場合のフローチャート
【図４】系統連系装置２が系統連系運転を行っている状態から停止させる場合の動作を示すフローチャートである。
【図５】テストモードにおける系統連系装置の動作を示すフローチャート
【図６】系統連系装置２が表示装置１２を備えた場合の例である。
【図７】従来の系統連系システムの一例である太陽電池発電システムを示す構成図
【図８】接点検出部を系統連系用リレー７に用いることで系統連系用リレーの溶着を判別する場合の構成図
【符号の説明】
【００５９】
１    太陽電池
２    系統連系装置
４    昇圧回路
５    インバータ回路
６    フィルタ回路
７    系統連系用リレー
８    制御回路
９    電流検出部
１０  インバータ電圧検出部
１１  商用系統電圧検出部
【図１】
2008035655.tif 000003
【図２】
2008035655.tif 000004
【図３】
2008035655.tif 000005
【図４】
2008035655.tif 000006
【図５】
2008035655.tif 000007
【図６】
2008035655.tif 000008
【図７】
2008035655.tif 000009
【図８】
2008035655.tif 000010